(57)【要約】【課題】特性の悪いフォトディテクタが含まれていても再生時におけるエラーレートの悪化を防止する。【解決手段】光ピックアップ部３は、４つのフォトディテクタを備える。コントローラ部１３は、起動時において４つのフォトディテクタの組合せを変更しながら生成されたＲＦ信号に基づいて再生した再生信号のエラー訂正結果を求め、求めたエラー訂正結果に応じて再生時における組合せを決定してＲＦアンプ部１０に与える。コントローラ部１３は、エラー訂正結果をフォトディテクタの組合せごとに一定期間カウントするカウンタと、カウンタのカウント結果を予め設定した閾値と比較する比較部と、比較部の比較結果に基づいてフォトディテクタの組合せの採否を判断し、複数あるフォトディテクタの組合せを変更制御する出力制御部と、を備える。そして、再生時には、特性の悪いフォトディテクタ以外の出力から再生信号を得るように制御する。【選択図】図１
2010033644.tif 000002
【特許請求の範囲】
【請求項１】
複数のフォトディテクタと、
前記複数のフォトディテクタの出力信号の組合せを選択してＲＦ信号を生成するＲＦアンプ部と、
起動時において前記組合せを変更しながら生成された前記ＲＦ信号に基づいて再生した再生信号のエラー訂正結果を求め、求めたエラー訂正結果に応じて再生時における前記組合せを決定して前記ＲＦアンプ部に与える制御部と、
を備えることを特徴とする光ディスク再生装置。
【請求項２】
前記制御部は、
前記エラー訂正結果を前記フォトディテクタの組合せごとに一定期間カウントするカウンタと、
前記カウンタのカウント結果を予め設定した閾値と比較する比較部と、
前記比較部の比較結果に基づいて前記フォトディテクタの組合せの採否を判断し、前記複数あるフォトディテクタの組合せを変更制御する出力制御部と、
を備えることを特徴とする請求項１記載の光ディスク再生装置。
【請求項３】
前記複数のフォトディテクタは、トラックの内周側および外周側にそれぞれ２個ずつ設けた４個のフォトディテクタからなり、
再生時における前記組合せは、前記４個のフォトディテクタの内の２個の出力信号の和とそれ以外の２個の出力信号の和のいずれかエラー訂正の少ない方を選択することによってなされ、
前記ＲＦアンプ部は、前記４個のフォトディテクタを全て選択した場合に対し、フォトディテクタの出力信号の増幅度を２倍することを特徴とする請求項１または２記載の光ディスク再生装置。
【請求項４】
前記複数のフォトディテクタは、トラックの内周側および外周側にそれぞれ２個ずつ設けた４個のフォトディテクタからなり、
再生時における前記組合せは、再生信号のエラー訂正の少ない方から３個を選択することによってなされ、
前記ＲＦアンプ部は、前記４個のフォトディテクタを全て選択した場合に対し、フォトディテクタの出力信号の増幅度を４／３倍することを特徴とする請求項１または２記載の光ディスク再生装置。
【請求項５】
ＳＵＢＱ同期信号を入力としてカウントすることでディスク一周分の再生時間を測って一定期間を求め、前記カウンタは、前記一定期間におけるＣ１Ｃ２エラー信号のエラー数をエラー訂正結果としてカウントすることを特徴とする請求項１または２記載の光ディスク再生装置。
【請求項６】
複数のフォトディテクタの出力信号の組合せを選択してＲＦ信号を生成し、前記ＲＦ信号に基づいて再生した再生信号を出力する光ディスク再生装置における再生方法であって、
起動時において前記複数のフォトディテクタの出力信号の組合せを変更しながら前記ＲＦ信号に基づいて再生した再生信号のエラー訂正結果を求めるステップと、
前記求めたエラー訂正結果に応じて再生時における前記組合せを決定するステップと、
前記決定された組合せを元にして得られる再生信号を出力するステップと、
を含むことを特徴とする光ディスク再生方法。
【発明の詳細な説明】
【技術分野】
【０００１】
本発明は、光ディスク再生装置及び光ディスク再生方法に関し、特にフォトディテクタの検出信号に対する再生信号の再生技術に関する。
【背景技術】
【０００２】
光ディスク再生装置は、渦巻状または円周状に記憶・再生トラックが形成されるＣＤ、ＤＶＤ等の光ディスクの所望のトラックにアクセスするために、光ピックアップモジュールを光ディスクの半径方向およびレンズの焦点方向に移動させて、リードライトを行う。光ピックアップモジュールは、一般的に４つのフォトディテクタを備え、４つのフォトディテクタからそれぞれ得られるフォトディテクタの検出信号を元にトラックへのアクセスおよびデータのリードライトがなされる。
【０００３】
例えば、特許文献１に示すように、光ディスク再生装置は、ＤＶＤ−ＲＡＭフォーマットに従った再生信号を生成する際、トラックに書き込まれたヘッダ部のＲＦ信号を生成する場合に、４分割フォトディテクタのうちトラック方向に分割した一方側からの検出信号か、他方側からの検出信号かに基づき生成する。トラックに書き込まれたデータ部のＲＦ信号は、４つの検出信号の総和信号に基づき生成される。
【０００４】
また、従来のＣＤ／ＣＤ−ＲＯＭフォーマットの光ディスクの再生においても、ＤＶＤ−ＲＡＭフォーマットの再生と同様に、４つのフォトディテクタの検出信号の総和信号に基づき生成するのが通常である。
【０００５】
【特許文献１】特開２００７−２５７６７７号公報
【発明の開示】
【発明が解決しようとする課題】
【０００６】
以下の分析は本発明において与えられる。
【０００７】
光ディスク再生装置市場におけるＣＤ／ＣＤ−ＲＯＭ再生装置は成熟期にあり、コスト削減等によって比較的特性の悪いピックモジュールも製品化されるようになった。このようなピックモジュールの中に、複数あるフォトディテクタ信号のうち信号の感度が悪い（質が悪い、ジッタが多い）ものが含まれることもある。通常、光ピックアップモジュールと再生用ＬＳＩは、別のモジュールになっており、比較的特性の悪いピックアップモジュールに対しても、再生用ＬＳＩは、エラーレートを悪化させることなく再生することが求められる。
【０００８】
例えば、４個のフォトディテクタ検出信号ＳＡ〜ＳＤにおいて、フォトディテクタ検出信号ＳＡ、ＳＢ、ＳＤが正常な波形であって、フォトディテクタ検出信号ＳＣが他に比べて特性が悪いとする。このような場合、従来の光ディスク装置では、総和信号を生成するので、特性の悪い成分が再生ＲＦ信号に含まれてしまう。このようなＣＤ／ＣＤ−ＲＯＭ装置において、ディスクローディングする際のチャッキング性が悪い場合や、歪の大きなディスクを再生する際、ディスクの面ぶれが発生してオーディオデータにノイズが発生してしまう虞がある。その主な理由としては、ディスクの記録面とレンズの距離を一定に保つフォーカスサーボが面ぶれに追従できずにフォトディテクタ検出信号の振幅が減衰し、ＲＦ信号の振幅が減少する。したがって、特性の悪いディテクタ信号の成分が顕著化して、ＲＦ信号の質が悪化するためにオーディオデータにノイズが発生してしまうことにある。
【課題を解決するための手段】
【０００９】
本発明の１つのアスペクト（側面）に係る光ディスク再生装置は、複数のフォトディテクタと、複数のフォトディテクタの出力信号の組合せを選択してＲＦ信号を生成するＲＦアンプ部と、起動時において組合せを変更しながら生成されたＲＦ信号に基づいて再生した再生信号のエラー訂正結果を求め、求めたエラー訂正結果に応じて再生時における組合せを決定して前記ＲＦアンプ部に与える制御部と、を備える。
【００１０】
本発明の他のアスペクト（側面）に係る光ディスク再生方法は、複数のフォトディテクタの出力信号の組合せを選択してＲＦ信号を生成し、ＲＦ信号に基づいて再生した再生信号を出力する光ディスク再生装置における再生方法であって、起動時において複数のフォトディテクタの出力信号の組合せを変更しながらＲＦ信号に基づいて再生した再生信号のエラー訂正結果を求めるステップと、求めたエラー訂正結果に応じて再生時における組合せを決定するステップと、決定された組合せを元にして得られる再生信号を出力するステップと、を含む。
【発明の効果】
【００１１】
本発明によれば、起動時にフォトディテクタの特性を判断し、再生時に特性の悪いフォトディテクタ以外の出力からの再生信号を生成するので、特性の悪いフォトディテクタが含まれていても再生時におけるエラーレートの悪化を防止することができる。
【発明を実施するための最良の形態】
【００１２】
本発明の実施形態に係る光ディスク再生装置は、複数のフォトディテクタ（図１の３に内蔵）を備える。光ディスク再生装置は、起動時に複数あるフォトディテクタの組合せを変更してＲＦ信号を生成し、このＲＦ信号を基に生成された再生信号のエラー訂正結果をフォトディテクタの組合せごとに一定期間カウントする。そして、カウント結果をあらかじめ設定された閾値と比較して特性の悪いフォトディテクタの組合せを判定する。さらに、再生時には、特性の悪いフォトディテクタ以外の出力から再生信号を得るようにする。
【００１３】
本発明の光ディスク再生装置において、起動時において組合せを変更しながらＲＦ信号を元に生成した再生信号のエラー訂正結果を求め、求めたエラー訂正結果に基づき再生時における組合せを決定してＲＦアンプ部（図１の１０）に与える制御部（図１の１３）を備える。制御部は、エラー訂正結果をフォトディテクタの組合せごとに一定期間カウントするカウンタ（図２の２９）と、カウンタのカウント結果を予め設定した閾値と比較する比較部（図２の３７）と、比較部の比較結果に基づいてフォトディテクタの組合せの採否を判断し、複数あるフォトディテクタの組合せを変更制御する出力制御部（図２の４０）と、を備えるようにしてもよい。
【００１４】
複数のフォトディテクタは、トラックの内周側および外周側にそれぞれ２個ずつ設けた４個のフォトディテクタからなり、再生時における組合せは、４個のフォトディテクタの内の２個の出力信号の和とそれ以外の２個の出力信号の和のいずれかエラー訂正の少ない方を選択することによってなされ、ＲＦアンプ部は、４個のフォトディテクタを全て選択した場合に対し、フォトディテクタの出力信号の増幅度を２倍するようにしてもよい。
【００１５】
複数のフォトディテクタは、トラックの内周側および外周側にそれぞれ２個ずつ設けた４個のフォトディテクタからなり、再生時における組合せは、再生信号のエラー訂正の少ない方から３個を選択することによってなされ、ＲＦアンプ部は、４個のフォトディテクタを全て選択した場合に対し、フォトディテクタの出力信号の増幅度を４／３倍するようにしてもよい。
【００１６】
ＳＵＢＱ同期信号を入力としてカウントすることでディスク一周分の再生時間を測って一定期間を求め、カウンタは、一定期間におけるＣ１Ｃ２エラー信号のエラー数をエラー訂正結果としてカウントするようにしてもよい。
【００１７】
以上のような光ディスク再生装置によれば、光ピックアップモジュールから出力される複数のフォトディテクタの信号うち１つまたは、２つの信号成分の特性が悪くても、オーディオ再生時にエラーレート悪化を防止することができる。その理由は、起動時にフォトディテクタの特性を判断し、再生時に特性の悪いフォトディテクタ以外の出力からの再生信号を生成するからである。
【００１８】
また、面ぶれが大きいディスク再生時等に発生するＲＦ信号の振幅減衰時に、再生エラーレートの悪化を解消することができる。その理由は、起動時にフォトディテクタの特性を判断し、再生時にＲＦ信号の振幅減衰が発生した期間に、特性の悪いフォトディテクタ以外の出力から再生信号を生成するよう切り替えるからである。
【００１９】
さらに、光ピックアップモジュールから出力される複数のフォトディテクタの信号のうち１つまたは、２つの信号成分の特性が悪くても、光ピックアップモジュールを交換する必要がない。その理由は、起動時にフォトディテクタの特性を判断し、再生時に特性の悪いフォトディテクタ以外の出力からの再生信号を生成するからである。
【００２０】
以下、実施例に即し、図面を参照して詳しく説明する。
【実施例１】
【００２１】
図１は、本発明の第１の実施例に係る光ディスク再生装置の構成を示す図である。図１において、１は光ディスク、２は光ピックアップモジュール、３は光ピックアップ部、４はフォーカス駆動コイル、５はトラッキング駆動コイル、６はスピンドルモータ、７はスレッドモータ、８はサーボドライバ、９はＣＤ再生用ＬＳＩ、１０はＲＦアンプ部、１１はサーボＤＳＰ部、１２はＣＤ信号処理部、１３はコントローラ部、１４はオーディオＤＡＣ部を表す。
【００２２】
光ピックアップモジュール２は、光ピックアップ部３、フォーカス駆動コイル４、トラッキング駆動コイル５を備える。光ピックアップ部３は、サーボドライバ８から出力されるフォーカスドライブ信号２５ｆによって上下方向（フォーカス方向）へ駆動され、トラッキングドライブ信号２５ｔによって水平方向（トラッキング方向）へ駆動される。また、ＤＡ〜ＤＤの４つのフォトディテクタを備え、それぞれ光ディスクに記録された情報をフォトディテクタ検出信号ＳＡ〜ＳＤとして読み出してＲＦアンプ部１０へ出力する。
【００２３】
スピンドルモータ６は、サーボドライバ８から出力されるスピンドルドライブ信号２５ｍで制御され、光ディスク１を回転させる。
【００２４】
スレッドモータ７は、サーボドライバ８から出力されるスレッドドライブ信号２５ｓによって制御され、光ピックアップモジュール２を光ディスク１の周方向へ移動させる。
【００２５】
サーボドライバ８は、ＣＤ再生用ＬＳＩ９からサーボドライブＰＷＭ信号２４を入力し、４系統のサーボ制御用信号であるスレッドドライブ信号２５ｓ、トラッキングドライブ信号２５ｔ、フォーカスドライブ信号２５ｆ、スピンドルドライブ信号２５ｍを生成して出力する。
【００２６】
ＣＤ再生用ＬＳＩ９は、ＲＦアンプ部１０、サーボＤＳＰ部１１、ＣＤ信号処理部１２、コントローラ部１３、オーディオＤＡＣ部１４を含む。
【００２７】
ＲＦアンプ部１０は、フォトディテクタ検出信号ＳＡ〜ＳＤを基に和信号（以降、ＲＦ信号）を生成する。そして、ＲＦ信号を、“０”、“１”のディジタル信号である再生ＥＦＭ信号１６に変換し、ＣＤ信号処理部１２へ出力する。また、アナログ回路技術によってＲＦ信号の振幅検出信号を生成し、ディジタルデータへ変換したサーボ制御用Ａ／Ｄデータ１５をサーボＤＳＰ部１１に出力する。
【００２８】
サーボＤＳＰ部１１は、ディジタル・ループ・フィルタ等で構成され、ＲＦアンプ部１０から出力されるサーボ制御用Ａ／Ｄデータ１５を入力して処理する。具体的には、ＲＦアンプ部１０から出力されるＲＦ振幅検出信号を、あらかじめ設定された閾値データ（例えば、ＲＦ振幅の減衰量の１／４となる値）と比較し、ＲＦ振幅減衰検出信号２１を生成する。ＲＦ振幅減衰検出信号２１は、閾値を越えたらローレベル、閾値以下であればハイレベルになるような信号である。また、サーボドライブＰＷＭ信号２４を４系統のサーボ制御用にサーボドライバ８へ出力する。
【００２９】
ＣＤ信号処理部１２は、再生ＥＦＭ信号１６を入力し、エラー訂正を行い、エラー訂正後のオーディオ再生データ２２をオーディオＤＡＣ部１４に出力する。エラー訂正において、ＥＦＭフレーム周期（１倍速再生時：７．３５ｋＨｚ）で訂正動作が行われ、エラー訂正結果を示すＣ１Ｃ２エラー信号１７をコントローラ部１３に出力する。Ｃ１Ｃ２エラー信号１７は、ハイレベルでエラーがあったことを示し、ローレベルでエラーが無かったことを示す。さらに、ＣＤ信号処理部１２は、ＥＦＭフレーム周期を示す信号であるＥＦＭフレームクロック信号１８とＥＦＭフレームの９８フレームを示す周期信号であるＳＵＢＱ同期信号１９をコントローラ部１３に出力する。
【００３０】
オーディオＤＡＣ部１４は、Ｄ／Ａコンバータで構成され、ＣＤ信号処理部１２から出力されるオーディオ再生データ２２をアナログ変換処理し、オーディオ再生アナログ信号２３として外部に出力する。
【００３１】
コントローラ部１３は、ＲＦ生成選択信号２０を切り替えてＲＦアンプ部１０へ出力する。ＲＦアンプ部１０は、入力されたＲＦ生成選択信号２０によって生成するＲＦ信号のフォトディテクタ検出信号の組合せを変更する。コントローラ部１３は、ＣＤ信号処理部１２から入力されるＳＵＢＱ同期信号１９をカウントすることでディスク一周分の再生時間を測り、その時間にＣ１Ｃ２エラー信号１７のエラー数をカウントする。カウント後に特性の悪いフォトディテクタ検出信号がどれであるかを判別し、ＲＦ振幅が減衰した時に切り替えるフォトディテクタの組合せをレジスタ（後述の再生用ＲＦ生成選択信号レジスタ３８）に記憶する。再生時において、コントローラ部１３は、サーボＤＳＰ部１１から出力されるＲＦ振幅減衰検出信号２１を入力して処理し、ＲＦ信号の生成の選択値であるＲＦ生成選択信号２０をＲＦアンプ部１０へ出力する。
【００３２】
次に、コントローラ部１３の詳細について説明する。図２は、本発明の第１の実施例に係るコントローラ部の構成を示す図である。図２において、２８はカウンタ制御部、２９はエラー数計数カウンタ、３０はフレーム数設定レジスタ、３１はフォトディテクタ組合せ選択レジスタ、３２はラッチタイミング生成部、３４はＥＲＲ１レジスタ、３５はＥＲＲ２レジスタ、３６はエラー閾値レジスタ、３７は比較部、３８は再生用ＲＦ生成選択信号レジスタ、３９は検出用ＲＦ生成選択信号レジスタ、４０は出力制御部、４１はセレクタ、４２はオーディオ再生ＯＮレジスタを表す。
【００３３】
カウンタ制御部２８は、フレーム数設定レジスタ３０の値とＣＤ信号処理部１２からＳＵＢＱ同期信号１９とを入力し、エラーを計数する周期を計測し、エラー数計数カウンタ２９へカウントクリアー信号２８ｂを出力する。また、エラーを格納するためのロードタイミング信号２８ａを生成し、ラッチタイミング生成部３２へ出力する。
【００３４】
エラー数計数カウンタ２９は、カウントクリアー信号２８ｂと、ＣＤ信号処理部１２から出力されるＣ１Ｃ２エラー信号１７およびＥＦＭフレームクロック信号１８とを入力し、エラー数のカウント結果をＥＲＲ１レジスタ３４およびＥＲＲ２レジスタ３５へ出力する。
【００３５】
フレーム数設定レジスタ３０は、エラーをカウントするＥＦＭフレーム数を格納する。
【００３６】
フォトディテクタ組合せ選択レジスタ３１は、検出用ＲＦ生成選択信号レジスタ３９の内容を変更することで、フォトディテクタの組合せを変更可能とするようにＲＦ信号を生成するためのフォトディテクタ組合せ選択信号３３ｃを格納しておき出力する。
【００３７】
ラッチタイミング生成部３２は、フォトディテクタ組合せ選択レジスタ３１から出力されるフォトディテクタ組合せ選択信号３３ｃとカウンタ制御部２８から出力されるロードタイミング信号２８ａとを入力し、フォトディテクタ組合せ選択信号３３ｃをデコードし、ロードタイミング信号２８ａと論理積の処理を行い、フォトディテクタの組合せを変更して計数されたエラー数計数カウンタ２９の出力値を格納するためのタイミング信号であるラッチ信号３３ａ、３３ｂを生成する。そして、ＥＲＲ１レジスタ３４へラッチ信号３３ａを出力し、ＥＲＲ２レジスタ３５へラッチ信号３３ｂを出力する。
【００３８】
ＥＲＲ１レジスタ３４とＥＲＲ２レジスタ３５は、フォトディテクタの組合せを変更してカウントしたエラー計数結果を格納する。ＥＲＲ１レジスタ３４は、ラッチ信号３３ａによってエラー数計数カウンタ２９の出力をラッチし、比較部３７へ出力する。ＥＲＲ２レジスタ３５は、ラッチ信号３３ｂによってエラー数計数カウンタ２９の出力をラッチし、比較部３７へ出力する。
【００３９】
エラー閾値レジスタ３６は、計数されたエラーを比較するための閾値を格納する。例えば、閾値はフォトディテクタの特性以外の要因であるディスクの傷などによって発生したエラー値が格納される。
【００４０】
比較部３７は、ＥＲＲ１レジスタ３４とＥＲＲ２レジスタ３５とエラー閾値レジスタ３６のそれぞれの値を入力し、ＥＲＲ１レジスタ値とエラー閾値レジスタ値（以降エラー閾値と記す）、ＥＲＲ２レジスタ値とエラー閾値をそれぞれ比較し、エラー閾値を越えないフォトディテクタの組合せを選択して再生用ＲＦ生成選択信号レジスタ３８へ出力する。
【００４１】
再生用ＲＦ生成選択信号レジスタ３８は、比較部３７からの結果信号、つまり閾値を越えないフォトディテクタ組合せ選択値を入力して格納し、出力制御部４０へ出力する。
【００４２】
検出用ＲＦ生成選択信号レジスタ３９は、フォトディテクタ組合せ選択信号３３ｃをもとに、検出用ＲＦ生成選択信号を２ビットで表してセレクタ４１へ出力する。例えば、フォトディテクタ組合せ選択信号３３ｃが“０１”ならば、検出用ＲＦ生成選択信号＝“０１”を出力し、ＲＦ選択信号２０＝“０１”をセレクタ４１を介してＲＦアンプ部１０へ出力する。また、フォトディテクタ組合せ選択信号３３ｃが“１０”ならば、検出用ＲＦ生成選択信号＝“１０”を出力し、ＲＦ選択信号２０＝“１０”をセレクタ４１を介してＲＦアンプ部１０へ出力する。
【００４３】
出力制御部４０は、ＲＦ振幅減衰検出信号２１がローレベルであれば、初期値である検出用ＲＦ生成選択信号＝“００”をセレクタ４１に出力し、ＲＦ振幅減衰検出信号２１がハイレベルであれば、再生用ＲＦ生成選択信号レジスタ３８の出力値をセレクタ４１に出力する。
【００４４】
セレクタ４１は、オーディオ再生ＯＮレジスタ４２の値を元に、起動時などの調整時に検出用ＲＦ生成選択信号レジスタ３９の出力を選択し、オーディオ再生時に出力制御部４０の出力を選択し、選択結果であるＲＦ生成選択信号２０をＲＦアンプ部１０に出力する。
【００４５】
オーディオ再生ＯＮレジスタ４２は、オーディオ再生時にセレクタ４１へハイレベルを出力し、それ以外はセレクタ４１へローレベルを出力する。
【００４６】
次に、ＲＦアンプ部１０の詳細について説明する。図３は、本発明の第１の実施例に係るＲＦアンプ部の回路図である。図３において、３０１はデコード回路、３０２はＭＩＸＡＭＰ、３０３は増幅器である。
【００４７】
デコード回路３０１は、図４に示す真理値表にしたがってＲＦ生成選択信号２０をデコードし、デコード結果となる信号ＤＥＣ１１〜ＤＥＣ１３を出力する。ＤＥＣ１１信号は、スイッチＳＷ１ａとＳＷ１ｃに与えられる。スイッチＳＷ１ａ、ＳＷ１ｃは、信号ＤＥＣ１１がハイレベルでオン、ローレベルでオフとなる。ＤＥＣ１２信号は、スイッチＳＷ１ｂとＳＷ１ｄに与えられる。スイッチＳＷ１ｂ、ＳＷ１ｄは、信号ＤＥＣ１２がハイレベルでオン、ローレベルでオフとなる。ＤＥＣ１３信号は、スイッチＳＷ２に与えられる。スイッチＳＷ２は、信号ＤＥＣ１３がハイレベルでオン、ローレベルでオフとなる。
【００４８】
光ピックアップモジュール２から出力されるフォトディテクタ検出信号ＳＡ〜ＳＤは、それぞれ抵抗Ｒａ〜Ｒｄを介しスイッチＳＷ１ａ〜ＳＷ１ｄのそれぞれの一端へ供給される。
【００４９】
ＭＩＸＡＭＰ３０２は、基準電圧Ｒｅｆを抵抗Ｒ１１を介して＋端子（非反転入力端子）の入力とし、接続スイッチＳＷ１ａ〜ＳＷ１ｄの他端を共通として−端子（反転入力端子）の入力とする。抵抗Ｒ１１は、ＭＩＸＡＭＰ３０２の出力端子と−端子を接続する。ＭＩＸＡＭＰ３０２は、選択されたフォトディテクタ検出信号ＳＡ〜ＳＤを合成（加算）する。
【００５０】
ＭＩＸＡＭＰ３０２の出力端子は、抵抗Ｒ１と抵抗Ｒ２およびスイッチＳＷ２の直列回路との並列接続回路を介して増幅器３０３の−端子に接続される。スイッチＳＷ２は、ＭＩＸＡＭＰ３０２の出力のゲインを切り替える。スイッチＳＷ２がオンするとＭＩＸＡＭＰ３０２の出力ゲインが２倍され、オフするとゲインが１倍となるようにする。
【００５１】
増幅器３０３は、ＭＩＸＡＭＰ３０２の出力を反転し増幅して、ＲＦ信号３０４を出力する。増幅器３０３は、基準電圧Ｒｅｆを抵抗Ｒ１３を介して＋端子（非反転入力端子）の入力とし、出力端子と−端子間に抵抗Ｒ１３を接続する。増幅器３０３の出力信号であるＲＦ信号３０４は、図４に示すように、ＲＦ生成選択信号２０の値を元に、フォトディテクタを組合せて合成される。
【００５２】
以上のように、フォトディテクタ検出信号ＳＡ〜ＳＤは、ＲＦ生成選択信号２０のデコード結果によって組合せが選択され、ＭＩＸＡＭＰ３０２で合成され、増幅器３０３でゲイン調整された後に、ＲＦ信号３０４として出力される。ＲＦ信号３０４は、ディジタル信号に変換され、ＲＦアンプ部１０から再生ＥＦＭ信号１６としてＣＤ信号処理部１２へ出力される。また、ＲＦ信号３０４の振幅検出信号が生成され、ディジタルデータへ変換されてサーボ制御用Ａ／Ｄデータ１５としてサーボＤＳＰ部１１に出力される。
【００５３】
次に、図１を用いて、光ディスク再生装置の全体の動作について説明する。
【００５４】
ディスク再生起動時に、光ディスク１がスピンドルモータ６上にローディングされ、スピンドルサーボにより光ディスク１が回転を始める。その後、スレッドモータ７が駆動され、光ピックアップモジュール２がディスクの最内周側へ移動する。光ピックアップモジュール２が最内周へ達すると、サーボドライバ８から出力されるフォーカスドライブ信号２５ｆによってフォーカスサーチ動作が実施され、フォーカスサーボによりレーザー光が光ディスク１の記録面に合焦する。次にトラッキングサーボとスレッドサーボによって再生可能な状態になる。
【００５５】
ディスク再生起動後、コントローラ部１３は、後述する図５に示すフローチャートのステップＳ１０１〜Ｓ１０９に従い動作する。すなわち、ＲＦ生成選択信号２０を切り替えて、ＲＦアンプ部１０においてフォトディテクタ検出信号ＳＡ〜ＳＤの組合せを変えてＲＦ信号を生成する。ＲＦ信号を基に生成された再生ＥＦＭ信号１６は、ＣＤ信号処理部１２でエラー訂正動作が行なわれる。エラー訂正状態を示すＣ１Ｃ２エラー信号１７をコントローラ部１３において一定期間カウントする。カウント終了後に特性の悪いフォトディテクタ検出信号がどれであるか判別し、ＲＦ振幅が減衰したときに切り替えるフォトディテクタ検出信号の組合せを再生用ＲＦ生成選択信号レジスタ３８へ格納する。
【００５６】
次にオーディオ再生時に、コントローラ部１３は、後述する図５のフローチャートのステップＳ２１〜Ｓ２６に従い動作する。すなわち、サーボＤＳＰ部１１から出力されたＲＦ振幅減衰検出信号２１は、コントローラ部１３に入力され、図５で示したフローチャートに従って、ＲＦ生成選択信号２０に変換される。生成されたＲＦ生成選択信号２０は、ＲＦアンプ部１０に供給され、所望のフォトディテクタを選択する。
【００５７】
次に、コントローラ部１３の動作を説明する。図２のＦＬ１部における動作は、ディスク再生起動後に動作し、フォトディテクタ組合せ選択レジスタ３１の設定を変更し、ＲＦ生成選択信号２０を切り替えてＲＦ信号を生成するようにする。例えば、フォトディテクタ検出信号ＳＡ、ＳＣでＲＦ信号を生成する。
【００５８】
生成されたＲＦ信号は、ＣＤ信号処理部１２に供給され、Ｃ１Ｃ２エラー信号１７を通じて、エラー数計数カウンタ２９に入力され、エラーの数量がカウントされる。Ｃ１Ｃ２エラー信号１７は、ＥＦＭフレームクロック信号１８のタイミングで更新される。カウンタ制御部２８は、ＥＦＭフレームを示すＳＵＢＱ同期信号１９の周期をカウントすることでディスク１周分の期間を測り、エラー数計数カウンタ２９へのカウントクリアー信号２８ｂを出力し、ラッチタイミング生成部３２へロードタイミング信号２８ａを出力する。
【００５９】
ラッチタイミング生成部３２から出力されるラッチ信号３３ａのタイミングで、ＥＲＲ１レジスタ３４へエラー数が格納され、ラッチ信号３３ｂのタイミングでＥＲＲ２レジスタ３５へのエラー数が格納される。フォトディテクタ検出信号ＳＡ、ＳＣでＲＦ信号を生成した場合のエラー数ＥＲＲ１のカウントと、フォトディテクタ検出信号ＳＢ、ＳＤでＲＦ信号を生成した場合のエラー数ＥＲＲ２のカウントが終了したならば、比較部３７は、ＥＲＲ１レジスタ値とエラー閾値及びＥＲＲ２レジスタ値とエラー閾値を比較する。
【００６０】
エラー閾値を越えた（ＥＲＲｎ＞エラー閾値）（ｎ＝１、２）ものがいくつあるかをカウントし、１つであれば、エラー閾値を越えないフォトディテクタの組合せを選択する。つまり、「ＥＲＲ１＜エラー閾値」かつ「ＥＲＲ２＞エラー閾値」ならば、フォトディテクタ検出信号ＳＢもしくはＳＤの特性が劣ると判断し、フォトディテクタ検出信号ＳＡ、ＳＣによってＲＦ信号を生成するＲＦ生成選択値を出力する。
【００６１】
比較結果が「ＥＲＲ１＞エラー閾値」かつ「ＥＲＲ２＜エラー閾値」ならば、フォトディテクタ検出信号ＳＡもしくはＳＣの特性が劣ると判断し、フォトディテクタ検出信号ＳＢ、ＳＤによってＲＦ信号を生成するＲＦ生成選択値を出力する。また、エラー閾値を越えたＥＲＲｎの数が１つ以外の場合は、初期値のままとする。
【００６２】
図２のＦＬ２部における動作は、オーディオ再生時にオーディオ再生ＯＮレジスタ４２の出力がハイレベルになり、セレクタ４１の出力は出力制御部４０の出力値となる。出力制御部４０は、図２のＦＬ１部において処理された再生用ＲＦ生成選択信号レジスタ３８の値を参照し、サーボＤＳＰ部１１から出力されるＲＦ振幅減衰検出信号２１により、ＲＦ選択信号を切り替える。つまり、ＲＦ振幅減衰検出信号２１がローレベルであれば、初期値である検出用ＲＦ生成信号＝“００”を出力する。ＲＦアンプ部１０でＲＦ選択信号２０をデコードし、式（１）で示されるフォトディテクタ検出信号の総和であるＲＦ信号を生成する。
ＲＦ信号＝（ＳＡ＋ＳＢ＋ＳＣ＋ＳＤ）  ・・・・・・  式（１）
【００６３】
ＲＦ振幅減衰検出信号２１がハイレベルであれば、再生用ＲＦ生成選択信号レジスタ３８の出力値を選択する。
【００６４】
次に、コントローラ部１３の動作を、図５のフローチャートを用いて説明する。
【００６５】
光ディスク再生装置は、ディスクが装着され再生可能な状態になる（ステップＳ１０１）。
【００６６】
その後、コントローラ部１３は、フォトディテクタ組合せ選択レジスタ３１の設定を行い、ＲＦ生成選択信号２０を切り替えてＲＦ信号を生成する（ステップＳ１０２）。
【００６７】
例えば、フォトディテクタ検出信号ＳＡ、ＳＣでＲＦ信号を生成し、ＣＤ信号処理部１２から出力されたＣ１Ｃ２エラー信号１７をエラー数計数カウンタ２９でカウントし、ＥＲＲ１レジスタ３４へ格納する（ステップＳ１０３）。
【００６８】
次に、コントローラ部１３は、フォトディテクタ組合せ選択レジスタ３１の設定を変更し、ＲＦ生成選択信号２０を切り替えてＲＦ信号を生成する（ステップＳ１０４）。
【００６９】
例えば、フォトディテクタ検出信号ＳＢ、ＳＤでＲＦ信号を生成し、ＣＤ信号処理部１２から出力されたＣ１Ｃ２エラー信号１７をエラー数計数カウンタ２９でカウントし、ＥＲＲ２レジスタ３５へ格納する（ステップＳ１０５）。
【００７０】
比較部３７は、ＥＲＲｎレジスタ値（ｎ＝１、２）とエラー閾値をそれぞれ比較する（ステップＳ１０６）。
【００７１】
エラー閾値を越えたＥＲＲｎがいくつあるか（Ｎｅｒｒ）をカウントする（ステップＳ１０７）。
【００７２】
Ｎｅｒｒが１でない場合（ステップＳ１０８のｎｏ）、フォトディテクタ設定の初期値を格納する（ステップＳ１０９）。
【００７３】
Ｎｅｒｒが１の場合（ステップＳ１０８のｙｅｓ）、再度比較結果を参照し、閾値を越えないフォトディテクタの組合せを選択する（ステップＳ１１０）。
【００７４】
ステップＳ１１０において、分岐条件１は「ＥＲＲ１＜エラー閾値かつＥＲＲ２＞エラー閾値」、分岐条件２は「ＥＲＲ１＞エラー閾値かつＥＲＲ２＜エラー閾値」である。それぞれ、比較結果よってフォトディテクタ信号設定を再生用ＲＦ生成選択信号レジスタ３８へ格納する（ステップＳ１１１、ステップＳ１１２）。
【００７５】
次に、オーディオ再生するために目的のトラックへ移動する選曲動作が行なわれる（ステップＳ２１）。
【００７６】
目的のトラックへ到達したならば、オーディオ再生ＯＮレジスタ４２がハイレベルを出力し、初期値である再生用ＲＦ生成選択信号＝“００”を出力する。ＲＦアンプ部１０は、ＲＦ生成選択信号２０をデコードし、式（１）に基づいてＲＦ信号を生成する。オーディオ再生が行われ、オーディオＤＡＣ部１４からオーディオ再生アナログ信号２３が出力される（ステップＳ２２）。
【００７７】
出力制御部４０は、ＲＦ振幅減衰検出信号２１をモニタし（ステップＳ２３）、ＲＦ振幅減衰検出信号２１がローレベルであれば（ステップＳ２３のｎｏ）、初期値である再生用ＲＦ生成選択信号＝“００”を出力する（ステップＳ２５）。ＲＦ振幅減衰検出信号２１がハイレベルであれば（ステップＳ２３のｙｅｓ）、再生用ＲＦ生成選択信号レジスタ３８の出力値を選択して出力する（ステップＳ２４）。
【００７８】
ＲＦアンプ部１０は、ＲＦ生成選択信号２０をデコードし、ＲＦ信号を生成する。ステップＳ２３からステップＳ２５の動作は、再生時間が終了するまで（ステップＳ２６のｙｅｓ）、実施する。再生時間の終了の判断は、従来の技術でサブコードと呼ばれる再生時間情報を管理することでなされる。
【００７９】
図６に、オーディオ再生時に面ぶれなどが発生し、ＲＦ信号３０４の振幅が減衰した時のＲＦ信号切り替えのタイミングを示す。横軸は時間経過であり、ＲＦ信号３０４の振幅が正常な状態から減衰した状態、そして正常な状態に戻る経過を示している。
【００８０】
ＲＦ信号３０４の振幅が正常である期間では、ＲＦ信号の振幅値を示すＲＦ振幅検出信号７１が閾値以上であり、ＲＦ振幅減衰検出信号２１がローレベルを示す。コントローラ部１３は、ＲＦ振幅減衰検出信号２１がローレベルであることを判別し、ＲＦ生成選択信号２０＝“００”をＲＦアンプ部１０へ出力する。ＲＦアンプ部１０は、ＲＦ生成選択信号２０をデコードし、式（１）で示されるフォトディテクタ検出信号の総和（ＳＡ＋ＳＢ＋ＳＣ＋ＳＤ）であるＲＦ信号を生成する。
【００８１】
次に、面ぶれなどが発生してＲＦ信号３０４の振幅が減衰した期間では、ＲＦ振幅検出信号７１が閾値未満になり、ＲＦ振幅減衰検出信号２１がハイレベルを示す。コントローラ部１３は、ＲＦ振幅減衰検出信号２１がハイレベルであることを判別し、再生用ＲＦ生成選択信号レジスタ３８の値を参照し、ＲＦ生成選択信号２０＝“０１”または“１０”をＲＦアンプ部１０へ出力する。ＲＦアンプ部１０は、ＲＦ生成選択信号２０をデコードし、特性の悪いフォトディテクタ成分を取り除いて生成したＲＦ信号を生成する（ＲＦ信号＝（ＳＡ＋ＳＣ）＊２、または（ＳＢ＋ＳＤ）＊２）。
【００８２】
再度、ＲＦ信号３０４の振幅が正常である期間になると、ＲＦ振幅減衰検出信号２１がローレベルを示す。コントローラ部１３は、ＲＦ振幅減衰検出信号２１がローレベルであることを判別し、ＲＦ生成選択信号２０＝“００”をＲＦアンプ部１０へ出力する。ＲＦアンプ部１０は、ＲＦ生成選択信号２０をデコードし、ＲＦ信号はフォトディテクタの総和であるＲＦ信号を生成する。
【００８３】
なお、図５のフローチャートでは、ＲＦ振幅減衰時を検出した場合に、特性の悪いフォトディテクタ成分を取り除いて生成したＲＦ信号に切り替えるようになっている。しかしこれに限定されることなく、オーディオ再生期間中、常時、特性の悪いディテクタ成分を取り除いて生成したＲＦ信号で再生するようにしてもよい。
【００８４】
なお、上記において、フォトディテクタ検出信号の組合せが、フォトディテクタ検出信号ＳＡとＳＣか、フォトディテクタ検出信号ＳＢとＳＤかのいずれかである２信号を基にしてＲＦ信号が生成されるように説明した。しかし、組み合わせは、これに限定されること無く、フォトディテクタ検出信号ＳＡとＳＤか、フォトディテクタ検出信号ＳＢとＳＣかのいずれかである２信号、あるいはフォトディテクタ検出信号ＳＡとＳＢか、フォトディテクタ検出信号ＳＣとＳＤかのいずれかである２信号を基にしてＲＦ信号を生成するように構成してもよい。すなわち、フォトディテクタの組み合わせとして、４個のフォトディテクタの内の２個の出力信号の和とそれ以外の２個の出力信号の和のいずれかエラー訂正の少ない方を選択してＲＦ信号を生成してもよい。
【実施例２】
【００８５】
本発明の第２の実施例に係る光ディスク再生装置は、図２に示すコントローラ部１３の構成を変更して、ＲＦ信号を生成するフォトディテクタの組合せを、さらに１信号ずつ行うようにしている。つまり、ＲＦ信号の生成方法において、例えばフォトディテクタ検出信号ＳＤを除くフォトディテクタ検出信号ＳＡ、ＳＢ、ＳＣからＲＦ信号を生成し、エラーをカウントし、その他のフォトディテクタ検出信号についても同様にエラーをカウントする。すべてのフォトディテクタ検出信号についてのエラー数計数結果が得られ、最終的にフォトディテクタ検出信号ＳＤを含む組合せでエラーレートが悪化する結果を得たならば、オーディオ再生時に使用するＲＦ信号は、式（２）で示すように３つのフォトディテクタ検出信号を合成して生成される。
ＲＦ信号＝（ＳＡ＋ＳＢ＋ＳＣ）＊４／３          ・・・・・・・・・  式（２）
【００８６】
図７は、本発明の第２の実施例に係るコントローラ部の構成を示す図である。図７において、図２と同一の符号は同一物を表し、その説明を省略する。図２と異なる部分は、フォトディテクタ組合せが２種類から４種類に増えることによって、フォトディテクタ組合せ選択レジスタ３１ａの値が２ビットから３ビットへ拡張される点にある。また、エラー数を格納するＥＲＲ１レジスタ３４とＥＲＲ２レジスタ３５が４つのレジスタ機能を備えるＥＥＲ１〜４レジスタ４３に変更される。さらに、ラッチタイミング生成回路３２ａも４種類のＥＲＲ１〜ＥＲＲ４を格納するタイミングを生成するように変更される。
【００８７】
また、再生用ＲＦ生成選択信号レジスタ３８ａ、検出用ＲＦ生成選択信号レジスタ３９ａ、出力制御部４０ａ、セレクタ４１ａ、ＲＦ生成選択信号２０ａにおけるデータ幅が３ビットになる。３ビットデータの意味は、“００１”は、ＲＦ信号がフォトディテクタ検出信号ＳＢ、ＳＣ、ＳＤの組合せによって生成され、“０１０”は、ＲＦ信号がフォトディテクタ検出信号ＳＡ、ＳＣ、ＳＤの組合せによって生成され、“０１１”は、ＲＦ信号がフフォトディテクタ検出信号ＳＡ、ＳＢ、ＳＤの組合せによって生成され、“１００”は、ＲＦ信号がフォトディテクタ検出信号ＳＡ、ＳＢ、ＳＣの組合せによって生成されることを意味する。なお、“０００”は、式（１）で示されるフォトディテクタ検出信号の総和（ＳＡ＋ＳＢ＋ＳＣ＋ＳＤ）によって生成されることを意味する。
【００８８】
図８は、本発明の第２の実施例に係るＲＦアンプ部の回路図である。図８において、図３と同一の符号は同一物を表し、その説明を省略する。図３と異なる部分は、デコード回路９０１がＲＦ生成選択信号２０ａをデコードして得られる信号ＤＥＣ２１〜ＤＥＣ２４をそれぞれスイッチＳＷ１ａ〜ＳＷ１ｄの制御端に供給することである。また、信号ＤＥＣ２５によって制御されるスイッチＳＷ２ａに接続されるゲインを調整するための抵抗Ｒ１ａ、Ｒ２ａは、スイッチＳＷ２ａがオン時にＭＩＸＡＭＰ３０２の出力ゲインが４／３倍されるように抵抗値が設定される。
【００８９】
スイッチＳＷ２ａは、ＭＩＸＡＭＰ３０２の出力ゲインを切り替えるが、信号ＤＥＣ２５がハイレベルでスイッチがオンし、ＭＩＸＡＭＰ３０２の出力のゲインが４／３倍される。信号ＤＥＣ２５がローレベルでスイッチがオフし、ＭＩＸＡＭＰ３０２の出力のゲインが１倍となる。
【００９０】
図９にデコード回路９０１における真理値表を示す。この真理値表は、３ビットのＲＦ生成選択信号２０ａの値に対する、生成されるＲＦ信号のフォトディテクタ検出信号ＳＡ〜ＳＤの組合せを示している。
【００９１】
次に、図７を用いてコントローラ部１３の動作を説明する。図７において、実施例１と異なるのは、図７のＦＬ３部であり、ディスク再生起動後に動作し、フォトディテクタ組合せ選択レジスタ３１ａの設定を任意に変更し、ＲＦ生成選択信号２０ａを切り替えてＲＦ信号を生成するようにする。例えば、フォトディテクタ検出信号ＳＢ、ＳＣ、ＳＤでＲＦ信号を生成し、ＣＤ信号処理部１２から出力されるＣ１Ｃ２エラー信号１７をエラー数計数カウンタ２９でカウントする。Ｃ１Ｃ２エラー信号１７は、ＥＦＭフレームクロック信号１８のタイミングで更新される。カウンタ制御部２８では、ＥＦＭフレームを示すＳＵＢＱ同期信号１９の周期をカウントすることでディスク１周分の期間を測り、エラー数計数カウンタ２９にカウントクリアー信号２８ｂを出力し、ラッチタイミング生成部３２ａにロードタイミング信号２８ａを出力する。
【００９２】
フォトディテクタ検出信号ＳＢ、ＳＣ、ＳＤでＲＦ信号を生成した場合のエラー数ＥＲＲ１と、フォトディテクタ検出信号ＳＡ、ＳＣ、ＳＤでＲＦ信号を生成した場合のエラー数ＥＲＲ２と、フォトディテクタ検出信号ＳＡ、ＳＢ、ＳＤでＲＦ信号を生成した場合のエラー数ＥＲＲ３と、フォトディテクタ検出信号ＳＡ、ＳＢ、ＳＣでＲＦ信号を生成した場合のエラー数ＥＲＲ４のカウントが終了したならば、比較部３７は、ＥＲＲ１〜４レジスタにおけるＥＲＲ１〜ＥＲＲ４に関するラッチした値とエラー閾値との比較を夫々について行う。
【００９３】
次に、エラー閾値を越えたＥＲＲｎがいくつあるかをカウントし、３つであればエラー閾値を越えないフォトディテクタの組合せを選択する。つまり、「ＥＲＲ１＜エラー閾値」でかつそれ以外の「ＥＲＲｎ（ｎ＝２〜４）＞エラー閾値」ならば、フォトディテクタ検出信号ＳＡの特性が劣るとし、フォトディテクタ検出信号ＳＢ、ＳＣ、ＳＤでＲＦ信号を生成してＲＦ生成選択値を出力する。同様にＥＲＲｎ（ｎ＝２〜４）夫々の場合で判断し、エラー閾値を越えないフォトディテクタの組合せを選択する。エラー閾値を越えたＥＲＲｎの数が３つ以外である場合は、初期値（従来生成法）のままとする。なお、ＦＬ２部に関しては、実施例１と同じ動作をする。
【００９４】
次に、図７のブロック図の動作シーケンスを、図１０のフローチャートを用いて説明する。図１０のフローチャートは、図５のフローチャートと同じくディスク再生起動から、特性の悪いフォトディテクタ検出信号がどれであるか判別し、ＲＦ振幅が減衰したときに切り替える組合せをレジスタへ格納するまでの処理フローを示す。
【００９５】
ディスクが装着され再生可能な状態（ステップＳ３０１）となった後、フォトディテクタ組合せ選択レジスタ３１ａの設定を任意に変更し、ＲＦ生成選択信号２０ａを切り替えてＲＦ信号を生成するようにする（ステップＳ３０２〜Ｓ３０６）。例えば、ｎ＝１の場合、フォトディテクタ検出信号ＳＢ、ＳＣ、ＳＤでＲＦ信号を生成し（ステップＳ３０４）、ＣＤ信号処理部１２から出力されるＣ１Ｃ２エラー信号１７をエラー数計数カウンタ２９でカウントし、ＥＲＲ１〜４レジスタ４３へ格納する（ステップＳ３０５）。次に、ｎ値をインクリメントし（ステップＳ３０６）、同様にエラー数をカウントする。
【００９６】
次に、比較部３７においてＥＲＲｎレジスタ値とエラー閾値を夫々比較し、エラー閾値を越えたＥＲＲｎがいくつあるかをカウント（Ｎｅｒｒ）する（ステップＳ３０８）。
【００９７】
Ｎｅｒｒが３でない場合（ステップＳ３０９のｎｏ）、フォトディテクタ設定の初期値を格納する（ステップＳ３１０）。Ｎｅｒｒが３の場合（ステップＳ３０９のｙｅｓ）、再度比較結果を参照し、閾値を越えないフォトディテクタの組合せを選択する（ステップＳ３１１）。
【００９８】
ステップＳ３１１において、分岐条件１は、「ＥＲＲ１＜エラー閾値、かつＥＲＲｎ（ｎ＝２〜４）＞エラー閾値」、分岐条件２は、「ＥＲＲ２＜エラー閾値、かつＥＲＲｎ（ｎ＝１、３、４）＞エラー閾値」、分岐条件３は、「ＥＲＲ３＜エラー閾値、かつＥＲＲｎ（ｎ＝１、２、４）＞エラー閾値」、分岐条件４は、「ＥＲＲ４＜エラー閾値、かつＥＲＲｎ（ｎ＝１〜３）＞エラー閾値」を表す。比較結果に基づきフォトディテクタ信号設定を再生用ＲＦ生成選択信号レジスタ３８ａへ格納する（ステップＳ３１２〜Ｓ３１５）。
【００９９】
ステップＳ２１〜ステップＳ２６は、それぞれ図５の同一の符号の処理と同様の内容であるため、その説明を省略する。
【０１００】
以上のように動作する光ディスク再生装置は、光ピックアップモジュールから出力される４つのフォトディテクタ検出信号うち１つの信号成分の特性が悪くても、悪い特性の成分を除いてＲＦ信号を生成することで、実施例１と同等の処理が可能である。
【０１０１】
実施例１では、４個のフォトディテクタの内の２個の出力信号の和とそれ以外の２個の出力信号の和のいずれかエラー訂正の少ない方を選択してＲＦ信号が生成される。このため、仮にフォトディテクタ検出信号の１つだけの特性が悪い場合であっても、問題のないもう一方のフォトディテクタ検出信号も使用しないこととなる。
【０１０２】
これに対し、本実施例の光ディスク再生装置によれば、さらに特性の悪いフォトディテクタを１つまで絞り込んで、ＲＦ信号の生成は、３つのフォトディテクタ検出信号を使用することになる。したがって、反射光のスポット面積も広くなり、４つのフォトディテクタ検出信号で生成するＲＦ信号成分に近くなる。
【０１０３】
なお、前述の特許文献等の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【図面の簡単な説明】
【０１０４】
【図１】本発明の第１の実施例に係る光ディスク再生装置の構成を示す図である。
【図２】本発明の第１の実施例に係るコントローラ部の構成を示す図である。
【図３】本発明の第１の実施例に係るＲＦアンプ部の回路図である。
【図４】本発明の第１の実施例に係るデコード回路の真理値表である。
【図５】本発明の第１の実施例に係る光ディスク再生装置の動作を表すフローチャートである。
【図６】本発明の第１の実施例に係る光ディスク再生装置におけるＲＦ信号の振幅減衰時のタイミングチャートである。
【図７】本発明の第２の実施例に係るコントローラ部の構成を示す図である。
【図８】本発明の第２の実施例に係るＲＦアンプ部の回路図である。
【図９】本発明の第２の実施例に係るデコード回路の真理値表である。
【図１０】本発明の第２の実施例に係る光ディスク再生装置の動作を表すフローチャートである。
【符号の説明】
【０１０５】
１  光ディスク
２  光ピックアップモジュール
３  光ピックアップ部
４  フォーカス駆動コイル
５  トラッキング駆動コイル
６  スピンドルモータ
７  スレッドモータ
８  サーボドライバ
９  ＣＤ再生用ＬＳＩ
１０  ＲＦアンプ部
１１  サーボＤＳＰ部
１２  ＣＤ信号処理部
１３  コントローラ部
１４  オーディオＤＡＣ部
１５  サーボ制御用Ａ／Ｄデータ
１６  再生ＥＦＭ信号
１７  Ｃ１Ｃ２エラー信号
１８  ＥＦＭフレームクロック信号
１９  ＳＵＢＱ同期信号
２０、２０ａ  ＲＦ生成選択信号
２１  ＲＦ振幅減衰検出信号
２２  オーディオ再生データ
２３  オーディオ再生アナログ信号
２４  サーボドライブＰＷＭ信号
２５ｍ  スピンドルドライブ信号
２５ｆ  フォーカスドライブ信号
２５ｔ  トラッキングドライブ信号
２５ｓ  スレッドドライブ信号
２８  カウンタ制御部
２８ａ  ロードタイミング信号
２８ｂ  カウントクリアー信号
２９  エラー数計数カウンタ
３０  フレーム数設定レジスタ
３１、３１ａ  フォトディテクタ組合せ選択レジスタ
３２、３２ａ  ラッチタイミング生成部
３３ａ、３３ｂ  ラッチ信号
３３ｃ、３３ｄ  フォトディテクタ組合せ選択信号
３４  ＥＲＲ１レジスタ
３５  ＥＲＲ２レジスタ
３６  エラー閾値レジスタ
３７  比較部
３８、３８ａ  再生用ＲＦ生成選択信号レジスタ
３９、３９ａ  検出用ＲＦ生成選択信号レジスタ
４０、４０ａ  出力制御部
４１、４１ａ  セレクタ
４２  オーディオ再生ＯＮレジスタ
４３  ＥＲＲ１〜４レジスタ
７１  ＲＦ振幅検出信号
３０１  デコード回路
３０２  ＭＩＸＡＭＰ
３０３  増幅器
３０４  ＲＦ信号
９０１  デコード回路
ＤＡ〜ＤＤ  フォトディテクタ
ＤＥＣ１１〜１３、ＤＥＣ２１〜２５  デコード信号
Ｒ１、Ｒ２、Ｒ１ａ、Ｒ２ａ、Ｒａ〜Ｒｄ、Ｒ１１〜Ｒ１４  抵抗
Ｒｅｆ  基準電圧
ＳＡ〜ＳＤ  フォトディテクタ検出信号
ＳＷ１ａ〜ＳＷ１ｄ、ＳＷ２、ＳＷ２ａ  スイッチ
【図１】
2010033644.tif 000003
【図２】
2010033644.tif 000004
【図３】
2010033644.tif 000005
【図４】
2010033644.tif 000006
【図５】
2010033644.tif 000007
【図６】
2010033644.tif 000008
【図７】
2010033644.tif 000009
【図８】
2010033644.tif 000010
【図９】
2010033644.tif 000011
【図１０】
2010033644.tif 000012